(57)【要約】【課題】リュックサックと背中の間に、背中が蒸れることによる不快感を解消する空間を安定的に形成するリュックサック用空間形成具を提供する。【解決手段】リュックサック用空間形成具１は、リュックサック１１の左右方向長さに相当する長さを有する空間形成部材２と，空間形成部材２の左右端部をリュックサック１１の左右の肩掛紐１２，１３の下端部にそれぞれ取り外し可能に連結する連結具３とを備える。空間形成部材２は、取付状態で、リュックサック１１と背中１４ａの間に、左右方向に延びる空間Ｓを形成する。空間形成部材２は、断面略Ｔ字形状で、左右方向に延び一定の前後方向長さを有する第１部分４と、連結具３が取り付けられる取付穴５ａ，５ｂを左右端部にそれぞれ有し上端部が第１部分４の下面に左右方向に沿って結合されている第２部分５とを有する。【選択図】  図２
2018038703.tif 000002
【特許請求の範囲】
【請求項１】
リュックサックに取り付けられ、前記リュックサックと前記リュックサックを背負う人の背中との間に、空間を形成するリュックサック用空間形成具であって、
前記リュックサックの左右方向長さに相当する長さを有する空間形成部材と、
前記空間形成部材の左右端部にそれぞれ取り付けられ前記空間形成部材を前記リュックサックの左右の肩掛紐の下端部に取り外し可能に連結する連結具とを備えるものであり、
前記空間形成部材が、左右方向に延び一定の前後方向長さを有する第１部分と、前記連結具が取り付けられる取付穴が左右端部にそれぞれ形成され上縁が前記第１部分に結合されている第２部分とを有し、前記第１部分の前後方向長さが前記第２部分の上下方向長さよりも短くなっていることを特徴とするリュックサック用空間形成具。
【請求項２】
前記連結具は、連結長さが調整可能である請求項１記載のリュックサック用空間形成具。
【請求項３】
前記第１部分は、前後方向中央に前記第２部分の上縁が左右方向に沿って結合されている請求項１又は２に記載のリュックサック用空間形成具。
【請求項４】
前記第２部分は、１個あるいは複数個の開口が形成されている請求項１〜３のいずれか１つに記載のリュックサック用空間形成具。
【請求項５】
前記第１部分の前後縁部は、断面略半円形状あるいは略楕円形状になるように湾曲している湾曲部である請求項１〜４のいずれか１つに記載のリュックサック用空間形成具。
【請求項６】
前記第２部分は、下縁部が肉厚部となっている請求項１〜５のいずれか１つに記載のリュックサック用空間形成具。
【請求項７】
前記第１部分は前後方向長さが１５ｍｍ程度であり、前記第２部分は上下方向長さが３０ｍｍ程度である請求項１〜６のいずれか１つに記載のリュックサック用空間形成具。
【発明の詳細な説明】
【技術分野】
【０００１】
本発明は、リュックサックを背負う際に、前記リュックサックと背負う人の背中との間に、空間を形成するリュックサック用空間形成具に関する。
【背景技術】
【０００２】
登山者のみならず、街中でも老若男女に大小のリュックサック（デイパック、ナップザックなど）が普及している。しかし、寒い時期を除いて、リュックサックを背負うと背中が蒸れるという課題がある。
【０００３】
そこで、リュックサックの負い面の下部左右にスペーサーをリュックサックの負い面と側面との間で移動可能に取り付け、これらのスペーサーは芯材をなす合成樹脂の中空体とこの中空体の負い面に施した板状スポンジ体からなる直方体に構成され、全体が布で覆われたものであり、前記スペーサーをリュックサックの負い面に移動することでリュックサックの負い面と使用者の背中の間に空間を形成し、リュックサックの側面に移動することでリュックサックの負い面と使用者の背中を密着させる機構を持つリュックサックが提案されている（例えば，特許文献１参照）。
【０００４】
また、握りこぶし程度の直径でリュックサックの横幅程度の長さを有する押しバネの両端に取付具を設置し、押しバネの両端切り落とし部分にカバーを設置する、構造を持つリュックサックと背中の間に空間を保持する装置も提案されている（例えば，特許文献２参照）。
【先行技術文献】
【特許文献】
【０００５】
【特許文献１】特開２０１０−２５９４７０号公報
【特許文献２】特開２０１５−２９７２８号公報
【発明の概要】
【発明が解決しようとする課題】
【０００６】
特許文献１に記載のものでは、リュックサックの負い面の下部左右にスペーサーを設ける構造であるので、リュックサックの負い面の下部中央（スペーサーが設けられている部分の間の部分）は背負う人の背中に密着するおそれがあり、背中が蒸れるという不快感を解消する効果を十分に発揮できない。また、リュックサックの負い面の下部中央が、背負う人の背中に密着しないようにするには、スペーサーを大きくする必要があり、見栄えが悪くなる。
【０００７】
特許文献２に記載の装置では、背中に背負った状態で押しバネが適度に変形し、背中に沿うため、リュックサックと背中の間に形成される空間も変化し、その空間の形状が安定していないことから、通気性が損なわれ、背中が蒸れるという不快感を解消する効果を十分に発揮できない。
【０００８】
また、押しバネを取り外して、収納する場合に、圧縮してコンパクトにする必要があるが、そのコンパクトな形状を維持するのが困難である。
【０００９】
本発明は、リュックサックと背中の間に、背中が蒸れるという不快感を解消する空間を安定的に形成するリュックサック用空間形成具を提供する。
【課題を解決するための手段】
【００１０】
請求項１の発明は、リュックサックに取り付けられ、前記リュックサックと前記リュックサックを背負う人の背中との間に、空間を形成するリュックサック用空間形成具であって、前記リュックサックの左右方向長さに相当する長さを有する空間形成部材と、前記空間形成部材の左右端部にそれぞれ取り付けられ前記空間形成部材を前記リュックサックの左右の肩掛紐の下端部に取り外し可能に連結する連結具とを備えるものであり、前記空間形成部材が、左右方向に延び一定の前後方向長さを有する第１部分と、前記連結具が取り付けられる取付穴が左右端部にそれぞれ形成され上縁が前記第１部分に結合されている第２部分とを有し、前記第１部分の前後方向長さが前記第２部分の上下方向長さよりも短くなっていることを特徴とする。
【００１１】
このようにすれば、リュックサックの左右の肩掛紐の下端部に空間形成部材を連結具を介して取り付けることで、リュックサックと背負う人の背中との間に、左右方向に延びる空間が安定的に形成されるので、通気性が確保され、真夏などの季節であっても、背中が蒸れることなく、背中が蒸れるという不快感が生じることがなくなる。
【００１２】
空間形成部材は、第１部分の前後方向長さが第２部分の上下方向長さよりも短くなっているので、全体として薄く、リュックサックに取り付けても、リュックサックとしての外観や見栄えが損なわれることがない。
【００１３】
この場合、請求項２に記載のように、前記連結具は、連結長さが調整可能である、ことが望ましい。
【００１４】
このようにすれば、リュックサックを背負う状態や背負う人の好みに応じて、空間形成部材の位置（配置）を調整できるので、リュックサックを背負う人が違和感を感じることなく、リュックサックを背負うことにより背中が蒸れるのを防止できる。
【００１５】
請求項３に記載のように、前記第１部分は、前後方向中央に前記第２部分の上縁が左右方向に沿って結合されている、ことが望ましい。
【００１６】
このようにすれば、通気性を確保する空間が、リュックサックと前記リュックサックを背負う人の背中との間に、バランスよく形成される。
【００１７】
請求項４に記載のように、前記第２部分は、１個あるいは複数個の開口が形成されている，ことが望ましい。
【００１８】
このようにすれば、軽量化が図れ、通気性を確保する点でも有利になる。
【００１９】
請求項５に記載のように、前記第１部分の前後縁部は、断面略半円形状あるいは略楕円形状となるように湾曲している湾曲部である、ことが望ましい。
【００２０】
このようにすれば、リュックサックを背負う人の背中に、第１部分の接触する部分の面積が小さくなり，背中に第１部分が接触していても、あまり違和感を感じない。
【００２１】
請求項６に記載のように、前記第２部分は、下縁部が肉厚部となっている，ことが望ましい。
【００２２】
このようにすれば、第２部分の下側部分について必要な剛性が確保される。
【００２３】
請求項７に記載のように、前記第１部分は前後方向長さが１５ｍｍ程度であり、前記第２部分は上下方向長さが３０ｍｍ程度である、ことが望ましい。
【００２４】
このようにすれば、リュックサックと背中との間に、空間をコンパクトに形成することができ、リュックサックに取り付けてもリュックサックとしての見栄えが損なわれることがない。また、取り外せば、リュックサック内に収納することができる。
【発明の効果】
【００２５】
本発明は、リュックサックの左右の肩掛紐の下端部に空間形成部材を連結具を介して取り付けることで、リュックサックと背負う人の背中との間に、左右方向に延びる空間を安定的に形成することができるので、通気性が確保され、真夏などの気温が高い時期であっても、背中が蒸れることなく、リュックサックを背負うことができる。よって、背中が蒸れるという不快感が生じることがなくなる。
【００２６】
また、空間形成部材は、第１部分の前後方向長さが第２部分の上下方向長さよりも短くなっているので、全体とて薄く、リュックサックに取り付けても、リュックサックとしての外観や見栄えが損なわれることがない。
【図面の簡単な説明】
【００２７】
【図１】本発明に係るリュックサック用空間形成具を示し、（ａ）は正面図、（ｂ）は図１（ａ）のＡ−Ａ線における断面図である、
【図２】前記リュックサック用空間形成具をリュックサックに取り付けた状態の斜視図である。
【図３】背中とリュックサックとの間に形成される空間の説明図である。
【図４】連結具を示し、（ａ）は延ばした状態の正面図，（ｂ）は同平面図、（ｃ）は丸めた状態の正面図である。
【発明を実施するための形態】
【００２８】
以下、本発明の実施の形態を図面に沿って説明する。なお、図面において、左右方向をＸ軸、前後方向をＹ軸、上下方向をＺ軸とする。
【００２９】
図１は本発明に係るリュックサック用空間形成具を示し、（ａ）は正面図，（ｂ）は図１（ａ）のＡ−Ａ線における断面図、図２は前記リュックサック用空間形成具をリュックサックに取り付けた状態の斜視図、図３は背中とリュックサックとの間に形成される空間の説明図である。
【００３０】
図１〜図３に示すように、リュックサック用空間形成具１は、リュックサック１１の左右の肩掛紐１２，１３（肩紐）の間に取り付けられ、リュックサック１１と背負う人１４の背中１４ａの間に、左右方向に延び通気性を確保するための空間Ｓを安定して形成するものである。なお、リュックサック用空間形成具１は、軽量化のために合成樹脂製とすることが望ましいが、アルミニウム合金などの金属製とすることも可能である。
【００３１】
このリュックサック用空間形成具１は、リュックサック１１の左右方向長さ（横幅）に相当する長さを有する空間形成部材２と、空間形成部材２の左右端部にそれぞれ取り付けられ空間形成部材２をリュックサック１１の左右の肩掛紐１２，１３の下端部に取り外し可能に連結する連結具３とを備える。ここで、肩掛紐１２，１３の下端部付近とは、肩掛紐１２，１３の、袋状の収納部１５に接続される部分付近という意味である。
【００３２】
つまり、リュックサック用空間形成具１は、リュックサック１１を背負う人１４の必要に応じて、リュックサック１１に取り付けたり、取り外したりすることができる。
【００３３】
空間形成部材２は、断面略Ｔ字形状で、左右方向に延び一定の前後方向長さを有する第１部分４と、連結具３が取り付けられる取付穴５ａ，５ｂを左右端部にそれぞれ有し上端部が第１部分４の下面に左右方向に沿って結合されている板状の第２部分５とを有する。そして，第１部分４は、第２部分５の上側部分だけでなく、左右側部分の上下方向中間部付近まで延び、前後方向中央に第２部分５の上縁が左右方向に沿って結合されている。
【００３４】
また、第２部分５は、取付穴５ａ，５ｂの間に複数個の開口５ｃ，５ｄが形成され、軽量化が図られている。開口５ｃ，５ｄによって通気性も高められる。なお、取付穴５ａ，５ｂや開口５ｃ，５ｄの形状は制限されない。また、開口５ｃ，５ｄの数は複数個である必要はなく、１個でもよい。
【００３５】
第１部分４の前後縁部４ａ，４ｂは、断面略半円形状あるいは略楕円形状となるように湾曲している湾曲部である。第２部分５の下縁部は、下側になるほど前後方向長さが長くなる肉厚部５ｅとなっており、この肉厚部５ｅは、下側部分だけでなく、左右側部分の上下方向中間部付近まで延び、第１部分４の左右端部に繋がっている。
【００３６】
また、第１部分４の前後方向長さが第２部分５の上下方向長さよりも短く、第１部分４は厚さ４ｍｍ程度、幅１５ｍｍ程度で、第２部分５は厚さ３ｍｍ程度、高さ３０ｍｍ程度であるので、空間形成部材２は、、全体として薄い形状である。よって、空間形成部材２は、リュックサック１１と背中１４ａとの間に、空間Ｓをコンパクトに形成することができ、リュックサック２に取り付けてもリュックサック１１としての外観や見栄えが損なわれることがない。また、取り外した場合に、紛失しないようにリュックサック１１内に無理なく収納しておくことができる。
【００３７】
空間形成部材２は、取付穴５ａ，５ｂにおいて連結具３，３が取り付けられているが、これら連結具３，３は、連結長さが調整可能であり、リュックサック１１を背負う状態や背負う人１４の好みに応じて、空間形成部材２の位置（配置）を調整できるようになっている。
【００３８】
つまり、図４（ａ）〜（ｃ）に示すように、連結具３は、一定長さを有する帯状部３ａの端部に筒状部３ｂが設けられたものである。帯状部３ａは、一面側が多数の溝が規則的に形成されている溝形成部分３ｃとなっている。筒状部３ｂは、帯状部３ａの他面側端部において帯状部３ａの長手方向に直交する方向に延び、中央部に前記溝に弾性的に係脱可能に係合する係止爪部３ｄが設けられている。係止爪部３ｄは、レバー部３ｅによって、溝形成部分３ｃの溝に、弾性的に係脱可能に係合するように回転される。そして、帯状部３ａを筒状部３ｂに挿入して丸めた状態にして（図４（ｃ）参照）、帯状部３ａの、必要な位置の溝に係止爪部３ｃを係合することで、連結具３の端部と肩掛紐１２，１３の下端部との距離に対応する連結長さが決定される。なお、連結具としては、図４に示すものに制限されず、連結長さを調整できるものであればよく、連結具として、例えば紐や、リボンなどを用いることも可能である。
【００３９】
リュックサック用空間形成具１を使用する場合には、左右端部の取付穴５ａ，５ｂに取り付けられている連結具３をそれぞれリュックサック１１の肩掛紐１２，１３の下端部に取り付ける。リュックサック１１を背負うと、空間形成部材２がリュックサック１１と背中１４ａとの間に、左右方向に延びる空間Ｓを安定的に形成するが、連結具３による連結長さを調整して、空間形成部材２が望ましいセット位置になるようにする。これにより、空間形成部材２によって望ましい位置に空間Ｓが形成される。
【００４０】
リュックサック用空間形成具１は、適度な剛性を有するので、撓むことはなく、空間形成具１が設けられた付近では、空間Ｓが安定して形成され、リュックサック１の負い面と背中が密着するのが回避される。また、背中１４ａには当たる第１部分２の前後縁部２ａ，２ｂは断面略半円形状あるいは略楕円形状に湾曲している湾曲部となっているから、背中１４ａにべったりと密着することがない。よって、通気性が確保され、真夏などの気温が高い時期であっても、背中が蒸れることなく、リュックサックを背負うことができ、背中が蒸れるという不快感が生じることがなくなる。
【００４１】
前記実施の形態では、第２部分５に開口５ｃ，５ｄを設けているが、開口をなくすことも可能である。
【符号の説明】
【００４２】
１  リュックサック用空間形成具
２  空間形成部材
３  連結具
３ａ  帯状部
３ｂ  筒状部
３ｃ  溝形成部分
３ｄ  係止爪部
３ｅ  レバー部
４  第１部分
４ａ  前縁部
４ｂ  後縁部
５  第２部分
５ａ，５ｂ  取付穴
５ｃ，５ｄ  開口
５ｅ  肉厚部
１１  リュックサック
１２，１３  肩掛紐
１４  背負う人
１４ａ  背中
１５  収納部
Ｓ  空間
【図１】
2018038703.tif 000003
【図２】
2018038703.tif 000004
【図３】
2018038703.tif 000005
【図４】
2018038703.tif 000006